(57)【特許請求の範囲】
【請求項１】
それぞれ基板上の所定位置に実装されたＲＯＭ（読み出し専用メモリ）には、そのＲＯＭが所定の機能を果たすために必要な複数のＲＯＭの個数を示す個数情報と、複数のＲＯＭ中における、そのＲＯＭの基板上の配列順を示す情報を含む実装情報が記録され、
検査装置には、前記基板上に実装された各ＲＯＭの前記実装情報を読み取って、各ＲＯＭの実際の配列順を当該ＲＯＭの位置情報と比較し、その操作を前記個数情報に示す回数だけ繰り返すことを特徴とする実装ＲＯＭの検査装置。
【請求項２】
それぞれ基板上の所定位置に実装されたＲＯＭには、少なくとも当該ＲＯＭの種別を示す種別情報と、そのＲＯＭが所定の機能を果たすために必要な複数のＲＯＭの個数を示す個数情報と、前記必要なＲＯＭ中の各ＲＯＭの相対的な実装位置を示す位置情報とを含む実装情報が記録され、
検査装置には、前記基板上に実装された各ＲＯＭの前記実装情報を読み取って、前記種別情報と位置情報を、予め用意した照合用データと照合する動作を、前記個数情報に従って全てのＲＯＭについて実行する照合処理部と、
照合結果を表示する表示部とを設けたことを特徴とする実装ＲＯＭの検査装置。
【請求項３】
一つの機能を得るためにデータ内容が関連する複数のＲＯＭを実装すべき基板に対し前記各ＲＯＭが関連するか否かを検査するための実装ＲＯＭの検査装置であって、
データ内容が関連する各ＲＯＭに対して同一の種別情報が実装情報として記録されているエリアと、
前記基板に実装された各ＲＯＭの前記エリアから前記種別情報を読み取り、各種別情報が一致するか否かを判定する照合処理部と、
該判定結果を表示するための表示部とを含むことを特徴とする実装ＲＯＭの検査装置。
【請求項４】
請求項１から３のうちのいずれか１項に記載の装置において、
ＲＯＭに記録される実装情報には、
各ＲＯＭに記録されたデータの内容をチェックするチェック情報を含めることを特徴とする実装ＲＯＭの検査装置。
【請求項５】
請求項１から４のうちのいずれか１項に記載の装置において、
前記表示部は、実装された各ＲＯＭと対応する発光素子群により構成され、各発光素子はそれぞれ対応するＲＯＭの照合結果を点滅表示することを特徴とする実装ＲＯＭの検査装置。
【請求項６】
請求項１から４のうちのいずれか１項に記載の装置において、
基板が搭載される装置に、前記照合処理部と前記表示部とを一体に組み込んだことを特徴とする実装ＲＯＭの検査装置。
【発明の詳細な説明】
【０００１】
【発明の属する技術分野】
本発明は、基板上の所定位置に実装されたＲＯＭ（読み出し専用メモリ）が誤りなく実装されているか、正常に機能しているか等を検査するための、実装ＲＯＭの検査装置に関する。
【０００２】
【従来の技術】
例えば、事業所内部で通信回線の交換業務を行う構内交換機には、自動交換のための様々な音声ガイダンスを出力する装置が組み込まれている。音声ガイダンス装置の基板には、音声データを書き込んだＲＯＭ（音声ＲＯＭ）が搭載される。１つの音声を発するために、例えば複数個の音声ＲＯＭがセットになって搭載される場合もある。また、この基板には、何種類もの音声データを書き込んだ音声ＲＯＭや音声ＲＯＭ群が搭載される。従って、構内交換機の製造にあたっては、これらのＲＯＭが誤り無く基板上に搭載されるように、また、一見して点検ができるように、その表面に音声データの内容を示すラベル等を貼っている。
【０００３】
【発明が解決しようとする課題】
ところで、上記のような従来の技術には次のような解決すべき課題があった。
様々な音声データを書き込んだ音声ＲＯＭの外観は、いずれもきわめてよく似ている。従って、例えばラベルの貼り違いによって、本来搭載されるべき場所に正しく音声ＲＯＭが搭載されない場合や、正しいＲＯＭが搭載されていても、検査で誤りと判定される場合がある。このため、製品検査に当たっては、検査員が実際に各音声ＲＯＭを動作させて、正しく対応する音声データを再生するかどうか検査していた。従って、音声ガイダンス装置の出荷前検査に非常に時間と手数がかかるという問題があった。
このような問題は、構内交換機の音声ＲＯＭに限らず、外観の酷似したＲＯＭを基板上に多数配置する構成の装置を検査する際にしばしば発生する。
【０００４】
【課題を解決するための手段】
本発明は以上の点を解決するため次の構成を採用する。
〈構成１〉
それぞれ基板上の所定位置に実装されたＲＯＭ（読み出し専用メモリ）には、そのＲＯＭが所定の機能を果たすために必要な複数のＲＯＭの個数を示す個数情報と、複数のＲＯＭ中における、そのＲＯＭの基板上の配列順を示す情報を含む実装情報が記録され、検査装置には、上記基板上に実装された各ＲＯＭの上記実装情報を読み取って、各ＲＯＭの実際の配列順を当該ＲＯＭの位置情報と比較し、その操作を上記個数情報に示す回数だけ繰り返すことを特徴とする実装ＲＯＭの検査装置。
【０００５】
〈構成２〉
それぞれ基板上の所定位置に実装されたＲＯＭには、少なくとも当該ＲＯＭの種別を示す種別情報と、そのＲＯＭが所定の機能を果たすために必要な複数のＲＯＭの個数を示す個数情報と、上記必要なＲＯＭ中の各ＲＯＭの相対的な実装位置を示す位置情報とを含む実装情報が記録され、検査装置には、上記基板上に実装された各ＲＯＭの上記実装情報を読み取って、上記種別情報と位置情報を、予め用意した照合用データと照合する動作を、上記個数情報に従って全てのＲＯＭについて実行する照合処理部と、照合結果を表示する表示部とを設けたことを特徴とする実装ＲＯＭの検査装置。
【０００６】
〈構成３〉
一つの機能を得るためにデータ内容が関連する複数のＲＯＭを実装すべき基板に対し上記各ＲＯＭが関連するか否かを検査するための実装ＲＯＭの検査装置であって、データ内容が関連する各ＲＯＭに対して同一の種別情報が実装情報として記録されているエリアと、上記基板に実装された各ＲＯＭの上記エリアから上記種別情報を読み取り、各種別情報が一致するか否かを判定する照合処理部と、該判定結果を表示するための表示部とを含むことを特徴とする実装ＲＯＭの検査装置。
【０００８】
〈構成４〉
構成１から３のうちのいずれか１項に記載の装置において、ＲＯＭに記録される実装情報には、各ＲＯＭに記録されたデータの内容をチェックするチェック情報を含めることを特徴とする実装ＲＯＭの検査装置。
【０００９】
〈構成５〉
構成１から４のうちのいずれか１項に記載の装置において、表示部は、実装された各ＲＯＭと対応する発光素子群により構成され、各発光素子はそれぞれ対応するＲＯＭの照合結果を点滅表示することを特徴とする実装ＲＯＭの検査装置。
【００１０】
〈構成６〉
構成１から４のうちのいずれか１項に記載の装置において、基板が搭載される装置に、照合処理部と表示部とを一体に組み込んだことを特徴とする実装ＲＯＭの検査装置。
【００１１】
【発明の実施の形態】
以下、本発明の実施の形態を具体例を用いて説明する。
〈具体例〉
図１は、本発明による実装ＲＯＭの検査装置具体例を示すブロック図である。図において、基板１０は、例えば構内交換機の音声ガイダンス装置の一部を構成する。この基板１０には、図に示すように、多数の音声ＲＯＭ４が搭載されている。また、この音声ＲＯＭ４の実装状態を検査するために検査装置１１が設けられている。この具体例では、検査装置１１は、基板１０と同様に、構内交換機等の内部に組み込まれる。この検査装置１１は、構内交換機の他の構成部分とは全く別に分離した形で組み込まれていてもよいし、例えば構内交換機の回路基板に一体に組み込まれていてもよい。もちろん、検査装置として、構内交換機と別体に構成されていてもよい。構内交換機に組み込まれていると、検査が容易で、使用開始後の保守点検にも利用できる。また、構内交換機に組み込むと、検査装置１１を制御するＣＰＵは、構内交換機を制御するＣＰＵと共通にすることができる。なお、検査装置１１は基板１０と合わせて音声ガイダンス装置を構成しても良い。
【００１２】
図の検査装置１１には、ＣＰＵ１と、プログラムＲＯＭ２と、ワークＲＡＭ３とが設けられている。ＣＰＵ１と、プログラムＲＯＭ２と、ワークＲＡＭ３と、音声ＲＯＭ４とは、それぞれデータバス５、アドレスバス６及び制御バス７により接続されている。プログラムＲＯＭ２は、後で説明する手順で本発明の検査装置１１を動作させるプログラムを格納している。ワークＲＡＭ３は、動作中のデータやパラメータを格納するランダム・アクセス・メモリである。なお、このワークＲＡＭ３は、後で説明する照合結果をテーブル化して格納するためにも使用する。
【００１３】
ＣＰＵ１は、プログラムＲＯＭ２に格納されたプログラムを１ステップずつ実行し、制御バス７を介してアクセス対象となる素子を指定し、アドレスバス６を介して素子内のデータ格納アドレスを指定し、データバス５を通じてアクセスしたデータを読み出す。読み出したデータを後で説明するように処理し一定の照合結果を得る。ＣＰＵ１には、ＬＥＤ等から構成された表示部８が接続されており、照合結果を後で説明するような要領で表示する構成となっている。照合処理を実行するための検査装置のＣＰＵ１やプログラムＲＯＭ２等をこの発明では照合処理部と呼んでいる。
【００１４】
音声ＲＯＭ４には、実装情報１２が格納されている。この実装情報１２は、例えば種別情報Ｃ１、個数情報Ｃ２、位置情報Ｃ３、チェック情報Ｃ４等から構成される。種別情報Ｃ１は、音声ＲＯＭ４がどのような種類のメモリであるか、どのような内容の音声データを格納したメモリであるかを表示す情報から構成される。個数情報Ｃ２は、例えば一定の音声ガイダンスを出力させるための音声データが数個の音声ＲＯＭ４に分けて格納されている場合、全部の音声データを格納するのに必要な音声ＲＯＭの個数を示す情報である。
【００１５】
位置情報Ｃ３は、全部の音声データを格納する音声ＲＯＭが複数個あって、これらが基板上に並べて配置された場合に、各ＲＯＭが何番目に配置されるべきものかを示す情報である。即ち、個数情報Ｃ２と位置情報Ｃ３とによって、所定の機能を果たすために必要な複数のＲＯＭの全個数と、そのうちの何番目に配置されて搭載されるべきＲＯＭかという情報が表示される。種別情報Ｃ１や個数情報Ｃ２、位置情報Ｃ３は、いずれも、２値化された１ワード程度のデータにより構成されて、ＲＯＭ中の所定のアドレスに格納される。
【００１６】
チェック情報Ｃ４は、いわゆるチェックサムと呼ばれる情報である。これは、例えば１個の音声ＲＯＭについて最初のアドレスから最後のアドレスまで順番にデータを読み出し、そのデータの総和を求める。その最終的な加算結果に相当する数値を示したものがチェック情報Ｃ４である。なお、この数値は、加算結果そのものを示すデータであったり、あるいは加算結果を２値データで表現した場合に、一定数の下位ビットを表すデータであってもよい。このチェック情報Ｃ４は、各音声ＲＯＭの中に正しい音声データが格納されているかどうか、音声ＲＯＭが壊れていないかをチェックするために使用される。
【００１７】
図２には、音声ＲＯＭの構成説明図を示す。
図に示す音声ＲＯＭ４は、音声データエリア４Ａと、ＲＯＭ情報テーブル４Ｂを備えている。音声データエリア４Ａには交換機で実際に使用される音声データが格納される。１個の音声ＲＯＭだけで所定の音声を出す機能を果たす場合には、音声データエリア４Ａに全ての音声データが格納される。また、複数個の音声ＲＯＭで１つの機能を果たす場合には、その一部の音声データがこの音声データエリア４Ａに格納されることになる。
【００１８】
ＲＯＭ情報テーブル４Ｂには、ＲＯＭ種別、チェックサム、実装位置、実装ＲＯＭ数等が格納される。ＲＯＭ種別は種別情報Ｃ１であり、チェックサムはチェック情報Ｃ４であり、実装位置は位置情報Ｃ３で、実装ＲＯＭ数は個数情報Ｃ２である。
【００１９】
図３には、実装情報と照合用データの例説明図を示す。
例えば、図に示すように、６個のＲＯＭＲ１〜ＲＯＭＲ６によって１つの音声ガイダンスを出力するための音声データが格納されるものとする。また、この場合に、６個のＲＯＭＲ１〜Ｒ６が、図に示すような順番に基板上に搭載されるものとする。このとき、種別情報Ｃ１は、全てのＲＯＭＲ１〜Ｒ６について同一である。ここでは４ビットの２値データ“０００１”でその種別情報を例示している。
【００２０】
個数情報Ｃ２は、図に示すようにその内容が２値で、全てのＲＯＭについて“０１１０”となっている。この図に示すように６個のＲＯＭによって１つの機能が果たされるため、個数情報は１０進数で示すと“６”という値になっている。また、位置情報Ｃ３は、図の左側のＲＯＭＲ１が“１”、２番目のＲＯＭＲ２が“２”（１０進数）というように左から順番に数えて何番目に配置されるかという数値になっている。通常、同一機能を持つＲＯＭは基板上にまとめて並べて配列される。数値情報は即ち、その配列順を示す情報である。
【００２１】
チェック情報Ｃ４は、各ＲＯＭ毎にそれぞれ様々な値となる。例えばＲＯＭＲ１から読み出されたデータを全て加算した場合、その値が４ビットでは表せないような場合、上位のビットを省略し、下位ビットのみでチェック情報を表す。このチェック情報の幅はＲＯＭがアクセスされるバス幅等によって制限されるからである。
【００２２】
この図３に示すような種別情報Ｃ１、個別情報Ｃ２、位置情報Ｃ３、チェック情報Ｃ４が、各ＲＯＭに格納されており、これを図１に示すＣＰＵ１が読み出して、あとで説明するような要領で照合処理を実行する。
【００２３】
図４には、照合結果テーブルの内容説明図を示す。
後で説明する照合処理を行うと、その結果がこの図に示すようなデータとして表示される。このデータは、図１に示したプログラムＲＯＭに格納される。例えば８個のＲＯＭが存在する場合に、それぞれ１ビットずつで実装状態が表示され、実装エラー、サムエラー、種別エラーも、それぞれ１ビットずつで表示される。例えば、実装状態の場合、その内容が“０”ならば実装されており、“１”ならば実装されていないという意味になる。また、実装エラーの場合には、その内容が“０”ならば正常、“１”ならば異常という意味になる。サムエラー、種別エラーについても、同様で、“０”ならば正常、“１”ならば異常という意味になる。
【００２４】
また、これらの照合結果テーブルの内容から、実際にどの素子に問題があるかを検査オペレータ等に表示するために、例えば次のような構成の表示部が採用される。
図５は、表示部の例説明図である。
図に示す表示部８は、８個のＬＥＤ１５によって構成されている。これらのＬＥＤ群は例えば全てのＲＯＭが正常に実装され、実装エラーやサムエラー、種別エラー等がない場合には全て点灯する。いずれのＲＯＭについても、実装状態、実装エラー、サムエラー、種別エラーのうちのいずれか１つでもエラーが存在する場合には、そのＲＯＭに対応するＬＥＤ１５が点灯しないように構成されている。図の例では、１番上から順にＲＯＭＲ１の照合結果、ＲＯＭＲ２の照合結果、…ＲＯＭＲ８の照合結果というように表示されることになる。
【００２５】
以上の構成の装置を用いて検査を行う場合には、次のようにその処理が実行される。
図６には、実装情報チェック動作フローチャートを示す。
このフローチャートで、まず各ＲＯＭについてその実装情報を読み出して照合をする。
まず、図６のステップＳ１において、パラメータＮを“０”に設定する。例えば８個のＲＯＭを検査する場合に、最初のＲＯＭを検査するときは“０”、次のＲＯＭを検査するときは“１”というようにインクリメントされるパラメータである。次のステップＳ２で、最初のＲＯＭの個数情報をリードする。そして、ステップＳ３において、その個数情報が読めたかどうかを判断する。読めた場合には、すくなくともいずれかのＲＯＭがその位置に実装されているということがわかる。この場合にはステップＳ４に進み、実装状態データを“０”に設定する。即ち、図４に示した照合結果テーブルの実装状態のビットを“０”にする。なお、このデータの初期値が“０”ならステップＳ４は不要である。
【００２６】
一方、リードできない場合にはステップＳ１２に進み、実装状態データを“１”にする。次に、ＲＯＭが実装されている場合にはステップＳ４からステップＳ５に進み、チェックサム演算が実行される。即ち、既に説明したように、そのＲＯＭの全てのアドレスをアクセスし、データを読み出してそのデータの総和を求める。その加算結果とチェック情報とをステップＳ６において照合する。チェック情報は既に説明したようにＲＯＭに格納されている。ステップＳ７でその結果が一致したと判断されると、ステップＳ８に進み、位置情報をリードする。一方、加算結果とチェック情報とが一致しないと判断されるとステップＳ１３に進み、サムエラーデータを“１”にする。即ち、図４に示した照合結果テーブルのサムエラーの部分のデータを“１”にする。
【００２７】
ステップＳ７で、加算結果とチェック情報とが一致したと判断されると、ステップＳ８で、位置情報をリードする。その位置情報は、ステップＳ９でＮと比較される。Ｎは既に説明したように、何番目のＲＯＭを検査しているかを判断するためのパラメータである。例えば最初のＲＯＭを検査中は、Ｎ＝“０”である。また、２番目のＲＯＭを検査中は、Ｎ＝“１”である。だから最初のＲＯＭの位置情報は“０”、２番目のＲＯＭの位置情報は“１”のはずである。
【００２８】
そこで、この比較を行い、ステップＳ１０で、Ｎと位置情報とが一致したかどうかによって、その処理を分岐させる。一致したと判断した場合にはステップＳ１１に進む。また、一致しないと判断された場合にはステップＳ１４に進み、実装エラーデータを“１”にする。即ち、図４に示す照合結果テーブルの実装エラーの部分のビットを“１”とする。
【００２９】
ステップＳ１１では、全てのＲＯＭについて処理が終了したかどうかを判断する。この判断は、Ｎと個数情報との比較により行われる。そして、終了していなければステップＳ１５に進み、Ｎをインクリメントして再びステップＳ２からステップＳ１１の処理を繰り返す。
以上のような処理によって、全てのＲＯＭについて、その実装状態とチェックサムの内容判断と実装位置の検査が行われる。
【００３０】
次に、ＲＯＭの種別判断を実行する。
図７には、種別判断フローチャートを示す。
図７に示すように、ステップＳ２０において、図６に示した実装情報のチェックが終了すると、次のステップＳ２１において、図４に示した照合結果テーブルをリードする。この照合結果テーブルを参照すれば、実装状態であってサムエラーがないＲＯＭを判断することができる。それらのＲＯＭについて、次のステップＳ２４〜ステップＳ３０の処理によって種別情報の正否判断を行う。
【００３１】
即ち、ステップＳ２３において、最初の検査対象のＲＯＭを指定する。次に、ステップＳ２４において、そのＲＯＭについての種別情報をリードする。ステップＳ２５では、コンペアデータが用意されているかどうかを判断する。コンペアデータというのは、このＲＯＭから読み出した種別データが正しいかどうかを判断するための比較データのことである。この比較データは、そのＲＯＭより前に種別データを読み出した別のＲＯＭのものを使用する。このように、複数の同種のＲＯＭを並べて基板上に搭載する場合には、全てのＲＯＭの種別データを比較して、一致していれば種別に間違いが無いと判断できる。
従って、検査用のプログラム側に照合用のデータを用意しなくてよい。
なお、照合用のデータを別途テーブルデータとして用意して、そのデータと種別データとを比較するような構成も可能である。
【００３２】
図のフローチャートにおいて、複数のＲＯＭのうち最初のＲＯＭについて種別情報を読み取った場合には、まずステップＳ２５からＳ２６に進み、これをコンペアデータとして図１に示したワークＲＡＭ３に格納する。そして、ステップＳ２３において、次のＲＯＭを指定する。また、２番目以降のＲＯＭを検査する場合には、コンペアデータが存在するから、種別情報をリードすると、コンペアデータとの比較を行う。そして、両者が一致した場合には種別エラー無し、一致しない場合には種別エラー有りと判断する。
【００３３】
種別エラーがある場合にはステップＳ２８からステップＳ２９に進み、種別エラーデータを“１”に設定する。即ち、図４に示す照合結果テーブルの種別エラーの部分を“１”に設定する。そして、ステップＳ３０に進み、全てのＲＯＭについての処理が終了したかどうかを判断する。終了していなければステップＳ２７に戻り、次のＲＯＭを指定して、再びステップＳ２４〜ステップＳ３０の処理が繰り返される。
【００３４】
以上のような処理を、実装状態とチェック情報と位置情報のエラーのないＲＯＭについて実行すると、全ての照合処理が終了する。これによって、図４に示す照合結果テーブルの内容が完成する。この照合結果テーブルに１つでも“１”が存在すれば、そのＲＯＭについては、何らかの異常があることになる。従って、その異常のあるＲＯＭについては、図５に示した表示部のＬＥＤ１５を消灯させる。検査オペレータはこの結果を見て、いずれかのＲＯＭに何らかの障害があるか、あるいは搭載位置等に誤りがあると判断し、修理交換等の処置を行うことができる。
【００３５】
なお、図５に示すような発光素子群によって表示部が構成されて、各発光素子がそれぞれ対応するＲＯＭの照合結果を点滅表示することにより、障害のあるＲＯＭが直接認識できる。また、例えば実装状態、実装エラー、サムエラー、種別エラーについて、全ての照合結果を表示する発光素子群を設ければ、図４に示す照合結果テーブルの内容をそのまま肉眼で見ることができ、ＲＯＭの具体的な障害状態を直ちに認識することが可能になる。
【００３６】
また、上記の例のように、例えば交換機の内部の音声ＲＯＭ群を検査するための検査装置を交換機の内部に組み込んでおけば、実際に交換機が運用されている状態で、搭載されたＲＯＭの検査を、実際に音声を出力させてみることなしに実施することが可能になる。従って、検査が容易になり、しかも例えば部品や基板を交換した場合の再検査も容易になる。ＲＯＭが実装されているかどうかの検査は実装情報のうちのどの情報を読む操作をしてもその効果は変わらない。
【００３７】
上記のように検査に必要な情報全てをＲＯＭ側に保持させておけば、検査装置はその内容を読み出して照合するだけでよく、ＲＯＭの種類によらず一定の動作でその検査が可能になる。従って、各種のＲＯＭを搭載した基板に接続してその検査をする外付けタイプとして汎用性のあるものにすることができる。即ち、専用の検査装置ではなく、汎用性のある検査装置を安価に提供できる。また、この検査装置を用いれば、自動的に多数のＲＯＭの検査を行うことができるから、検査オペレータの負担を軽減することができる。上記の検査装置は、音声ＲＯＭの検査のみならず、各種のＲＯＭを搭載した基板の検査に広く利用できる。
また、実装情報は、種別情報、個数情報、位置情報、チェック情報全てを含む必要はなく単独あるいは任意の組み合わせでＲＯＭ中に格納しておき、検査装置により照合すればよい。
【００３８】
【発明の効果】
ＲＯＭ中に種別情報を格納しておくと、基板上の所定位置に所定のＲＯＭが搭載されているかを迅速に検査できる。個数情報と位置情報を格納した場合には、その搭載個数と配置の検査を自動化できる。更に個数情報と位置情報に種別情報を含めることによって、種別情報を相互比較して、異なった種類のＲＯＭが混じって搭載されたかどうかを検査することが可能になる。また、チェック情報により、他の参照情報無しに、ＲＯＭが正常かどうかの検査をすることができる。
【図面の簡単な説明】
【図１】本発明による実装ＲＯＭの検査装置ブロック図である。
【図２】音声ＲＯＭの構成説明図である。
【図３】実装情報と照合用データの例説明図である。
【図４】照合結果テーブルの内容説明図である。
【図５】表示部の例説明図である。
【図６】実装情報チェック動作フローチャートである。
【図７】種別判断フローチャートである。
【符号の説明】
１  ＣＰＵ
２  プログラムＲＯＭ
３  ワークＲＡＭ
４  音声ＲＯＭ
５  データバス
６  アドレスバス
７  制御バス
８  表示部
１０  基板
１１  検査装置
１２  実装情報
Ｃ１  種別情報
Ｃ２  個別情報
Ｃ３  位置情報
Ｃ４  チェック情報
【図１】
0003546321.tif 000002
【図２】
0003546321.tif 000003
【図３】
0003546321.tif 000004
【図４】
0003546321.tif 000005
【図５】
0003546321.tif 000006
【図６】
0003546321.tif 000007
【図７】
0003546321.tif 000008